(57)【要約】【課題】ＩＣの発熱対策に留意しつつ、コネクタ周辺から放出される高周波ノイズを低減させた液晶表示装置を提供する。【解決手段】スケーラＩＣ３上における熱伝導シート６のＤＤＲ-ＳＤＲＡＭ２側の側方には、ガスケット７が配置されている。そして、板金シールド５は、熱伝導シート６及びガスケット７をスケーラＩＣ３とともに挟む。これにより、ＤＤＲ-ＳＤＲＡＭ２から発生する高周波ノイズ１０は、ガスケット７で遮蔽されるため、熱伝導シート６に入射しなくなる。そのため、指向性の強い高周波ノイズ１１が熱伝導シート６から漏れるのを防止できる。さらに、熱伝導シート６は、スケーラＩＣ３で発生する熱を板金シールド５に伝導させる。【選択図】  図２
2011002701.tif 000002
【特許請求の範囲】
【請求項１】
画像を液晶パネルで表示するＬＣＤモジュールと、
ケーブルに接続されるコネクタと前記ＬＣＤモジュールの画像制御を行うＩＣとノイズ発生部とが実装されている画像制御基板と、を備える液晶表示装置において、
前記ＩＣに載置され、金属性フィラーを含む熱伝導シートと、
前記ＩＣ上における前記熱伝導シートの前記ノイズ発生部側の側方に配置される導電性部材と、
前記ノイズ発生部から発生する電磁ノイズを遮蔽するシールドであって、前記コネクタと隣接する辺のみが開口し、その他の辺が前記画像制御基板に接触するシールドと、を備え、
前記シールドは、前記熱伝導シート及び前記導電性部材を前記ＩＣとともに挟み、
前記熱伝導シートは、前記ＩＣで発生する熱を前記シールドに伝導させることを特徴とする液晶表示装置。
【請求項２】
前記導電性部材の材質は、導電性熱可塑性エラストマーであることを特徴とする請求項１に記載の液晶表示装置。
【請求項３】
前記導電性部材は、
アルミ製のシートであり、
前記熱伝導シートの前記ノイズ発生部側の端部を被覆することを特徴とする請求項１に記載の液晶表示装置。
【請求項４】
前記ノイズ発生部は、ＤＤＲ-ＳＤＲＡＭであることを特徴とする請求項１から３のいずれかに記載の液晶表示装置。
【発明の詳細な説明】
【技術分野】
【０００１】
本発明は、画像を表示するＬＣＤモジュールと、該ＬＣＤモジュールの画像制御を行うＩＣとノイズ発生部とが実装されている画像制御基板と、を備える液晶表示装置に関するものである。
【背景技術】
【０００２】
従来から、画像を液晶パネルで表示するLCDモジュールとLCDモジュールの背面に取り付けられる画像制御基板とを備える液晶表示装置が一般に広く普及している。この画像制御基板には、ケーブルに接続されるコネクタと、ＬＣＤモジュールの画像制御を行うＩＣと、画像フレームを記憶するフレームバッファメモリとしてのＤＤＲ(Double Data Rate) -ＳＤＲＡＭ(Synchronous Dynamic Random Access Memory)と、が一般的に実装されている。
【０００３】
液晶表示装置を含む電子機器は、さまざまな電磁波（電磁ノイズ）を放射する。この電磁ノイズは他の機器に影響を与えるため、電子機器においては、周辺に電磁ノイズの影響を及ぼさないＥＭＩ（Electro  Magnet  Interference）対策が要求されている。
【０００４】
そこで、液晶表示装置の開発担当者等は、液晶表示装置の出荷前に、ＥＭＩ対策で求められている要求基準を液晶表示装置が満たしているかどうか検査している。この検査はＥＭＩ検査と呼ばれ、液晶表示装置であれば実際に画像を液晶パネルで表示し、その表示動作によって放射される電磁波の電界強度（以下、ノイズ強度と称する）を測定することにより同検査が行われる。
【０００５】
液晶表示装置では上記ＤＤＲ-ＳＤＲＡＭから９７８MHｚの高周波ノイズが発生することが多い。そのため、ＥＭＩ対策としてＤＤＲ-ＳＤＲＡＭをシールドで覆い、ＤＤＲ-ＳＤＲＡＭから発生する高周波ノイズをシールドで遮蔽することが行われていた。
さらに、上記ＩＣからは熱が発生するため、熱伝導性に優れた金属製フィラーを含む熱伝導シートをＩＣとシールドで挟み、ＩＣで発生した熱をシールドへ逃がしていた。
なお、特許文献１では、プラズマディスプレイ装置が提案されている。
【先行技術文献】
【特許文献】
【０００６】
【特許文献１】特開２００６−４７９９２公報
【発明の概要】
【発明が解決しようとする課題】
【０００７】
しかしながら、上記熱伝導シートには金属製フィラーが含まれているため、ＤＤＲ-ＳＤＲＡＭから発生した高周波ノイズが、該金属製フィラーで誘導されて指向性の強い高周波ノイズに変化してしまうことがあった。さらに、画像制御基板には他の基板と接続するためのコネクタを実装しなければならないため、コネクタ周辺のみシールドで覆うことができなかった。
そのため、指向性の強い高周波ノイズが該コネクタ周辺から放出され、従来の液晶表示装置では、上記要求基準を満たさないことがあった。
【０００８】
本発明はこのような従来の課題を解決しようとするものであり、ＩＣの発熱対策に留意しつつ、コネクタ周辺から放出される指向性の強い高周波ノイズを低減させた液晶表示装置を提供することを目的とする。
【課題を解決するための手段】
【０００９】
本発明の液晶表示装置は、前記課題を解決するために以下の構成を備えている。
【００１０】
（１）画像を液晶パネルで表示するＬＣＤモジュールと、
ケーブルに接続されるコネクタと前記ＬＣＤモジュールの画像制御を行うＩＣとノイズ発生部とが実装されている画像制御基板と、を備える液晶表示装置において、
前記ＩＣに載置され、金属性フィラーを含む熱伝導シートと、
前記ＩＣ上における前記熱伝導シートの前記ノイズ発生部側の側方に配置される導電性部材と、
前記ノイズ発生部から発生する電磁ノイズを遮蔽するシールドであって、前記コネクタと隣接する辺のみが開口し、その他の辺が前記画像制御基板に接触するシールドと、を備え、
前記シールドは、前記熱伝導シート及び前記導電性部材を前記ＩＣとともに挟み、
前記熱伝導シートは、前記ＩＣで発生する熱を前記シールドに伝導させることを特徴とする。
【００１１】
この構成において、ノイズ発生部は、例えばＲＡＭ、水晶発振器である。
導電性部材は、ＩＣ上における熱伝導シートのノイズ発生部側の側方に配置される。そして、シールドは、熱伝導シート及び導電性部材をＩＣとともに挟む。これにより、ノイズ発生部から発生する高周波ノイズは、導電性部材で遮蔽されるため、熱伝導シートに入射しなくなる。そのため、指向性の強い高周波ノイズが熱伝導シートから漏れるのを防止できる。
さらに、熱伝導シートは、ＩＣで発生する熱をシールドに逃がす。
以上より、ＩＣの発熱対策に留意しつつ、コネクタ周辺から放出される高周波ノイズを低減させることができる。
【００１２】
（２）前記導電性部材の材質は、導電性熱可塑性エラストマーであることを特徴とする。
【００１３】
（３）前記導電性部材は、
アルミ製のシートであり、
前記熱伝導シートの前記ノイズ発生部側の端部を被覆することを特徴とする。
【００１４】
（４）前記ノイズ発生部は、ＤＤＲ-ＳＤＲＡＭであることを特徴とする。
【発明の効果】
【００１５】
この発明によれば、ＩＣの発熱対策に留意しつつ、コネクタ周辺から放出される指向性の強い高周波ノイズを低減させることができる。
【図面の簡単な説明】
【００１６】
【図１】本発明の実施形態である液晶テレビジョンのＬＣＤモジュールの背面における基板配置図
【図２】図１のS−S線におけるディジタル基板Ａの要部断面図
【図３】図２に示す熱伝導シートとガスケットの上面図および側面図
【図４】本発明の実施形態の変形例である液晶テレビジョンの熱伝導シートとアルミシートの上面図および側面図
【発明を実施するための形態】
【００１７】
以下、本発明の実施形態である液晶テレビジョンのＬＣＤモジュールについて説明する。
【００１８】
図１は、本発明の実施形態である液晶テレビジョンのＬＣＤモジュールの背面における基板配置図である。ＬＣＤモジュール５０は、画像を表示する液晶パネルと、光源となるバックライトと、該光を反射する反射板と、基板を取り付けるためのシャーシと、で構成される。ＬＣＤモジュール５０の背面は、液晶テレビジョン１のケーシングの一部を構成する背面キャビネットで覆われる。その背面キャビネットを外したＬＣＤモジュール５０の背面（即ちシャーシ）には、ディジタル基板Ａと、電源基板Ｂと、インバータ基板Ｃと、アナログ基板Dと、中継基板Ｒとが取り付けられている。以下、それぞれの基板について図１を用いて説明する。
【００１９】
電源基板Ｂは、ＬＣＤモジュール５０背面の中央に配置されている。電源基板Ｂは、商用のＡＣ電源電圧をＤＣ電源電圧に変換し、そのＤＣ電源電圧に基づいて各種電源電圧を生成し、ディジタル基板Ａとインバータ基板Ｃ等に実装された各回路に電源電圧を各ケーブルを介して供給する。ここで、ディジタル基板Ａは、電源基板Ｂとケーブル３２を介して接続されている。また、中継基板Ｒは、ディジタル基板Ａとケーブル４２を介して接続されている。また、インバータ基板Ｃは、電源基板Ｂとケーブル３１を介して接続されている。電源基板Ｂで生成された電源電圧は、ケーブル３２とディジタル基板Ａとケーブル４２とを経由して中継基板Ｒに入力する。そして、この電源電圧は、中継基板ＲからＣＯＦ（チップオンフィルム）群Ｘに、ＣＯＦ群Ｘの内の右端のＣＯＦから液晶セルに形成された配線を介してＣＯＦ群Ｙに、それぞれ供給される。
【００２０】
インバータ基板Ｃは、ＬＣＤモジュール５０背面の右方に上下に長く配向して配置されている。
【００２１】
ディジタル基板Ａは、ＬＣＤモジュール５０背面において左上側に配置されている。ディジタル基板Ａには、不図示のチューナが搭載されている。
【００２２】
ディジタル基板Ａは、不図示のアンテナを介して受信されるテレビ放送信号から、選択されているチャンネルのテレビ放送信号（映像音声信号）をチューナで抽出する。さらに、ディジタル基板Ａは、チューナから入力される映像音声信号から映像信号と音声信号の分離を行う。ディジタル基板Ａは、分離されたディジタルの音声信号をケーブル４４を介してアナログ基板Dに伝送する。アナログ基板Dは、ディジタルの音声信号をアナログの音声信号にＤ／Ａ変換し、スピーカから音声出力させる。
【００２３】
また、ディジタル基板Ａは、分離された映像信号に基づいて液晶パネルの１画面分の画像データを生成し、その画像データに基づいてパネル駆動信号を生成する。ディジタル基板Ａは、生成したパネル駆動信号をケーブル４２を介して中継基板Ｒに出力する。
【００２４】
中継基板Ｒは、ＬＣＤモジュール５０の背面上端部に配置されている。中継基板Ｒは、液晶パネルの縦方向に形成された複数本のソースラインを駆動する複数のソースドライバＩＣを搭載したＣＯＦ群Ｘと接続している。ＣＯＦ群Ｘの内の左端のＣＯＦは、液晶パネルの横方向に形成された複数本のゲートラインを駆動する複数のゲートドライバＩＣを搭載したＣＯＦ群Ｙと接続している。ＣＯＦ群Ｘ及びＣＯＦ群Ｙは、画素の配列により構成された液晶パネルの各画素をパネル駆動信号に基づいて駆動し、液晶パネルの画面に画像データに基づく映像を表示させる。
【００２５】
ここで、上記ディジタル基板Ａについて詳述する。
【００２６】
図２は、図１のS−S線におけるディジタル基板Ａの要部断面図である。ディジタル基板Ａには、不図示のチューナと、画像フレームを記憶するフレームバッファメモリとしてのＤＤＲ(Double Data Rate) -ＳＤＲＡＭ(Synchronous Dynamic Random Access Memory)２と、画像制御を行うスケーラＩＣ３と、不図示のタイミングコントローラ（Ｔcont）と、ケーブル４４に接続されるコネクタ４と、が実装されている。
【００２７】
スケーラＩＣ３は、チューナから入力されるディジタルの映像音声信号から映像信号と音声信号の分離を行う。そして、スケーラＩＣ３は、分離された映像信号を、液晶パネルが有する画面の画素数（横縦比、ｍ：ｎ）に合致するようにスケーリング処理を行い、液晶パネルに表示する１画面分の画像データをＤＤＲ-ＳＤＲＡＭ２上に生成する。最後に、スケーラＩＣ３は、生成した画像データをＤＤＲ-ＳＤＲＡＭ２からタイミングコントローラ（Ｔcont）に出力する。
【００２８】
Ｔcontは、スケーラＩＣ３とコネクタ４との間に形成されており、入力された画像データに基づいてパネル駆動信号を生成する。そして、Ｔcontは、そのパネル駆動信号を中継基板Rを介してＣＯＦ群Ｘ及びＣＯＦ群Ｙに出力する。
【００２９】
一方、スケーラＩＣ３は、分離されたディジタルの音声信号をコネクタ４からケーブル４４を介してアナログ基板Dに伝送する。アナログ基板Dは、ディジタルの音声信号をアナログの音声信号にＤ／Ａ変換し、スピーカから音声出力させる。
【００３０】
ここで、液晶テレビジョン１では上記ＤＤＲ-ＳＤＲＡＭ２から９７８MHｚの高周波ノイズ１０が発生することが多い。そのため、ＥＭＩ対策としてスケーラＩＣ３とＤＤＲ-ＳＤＲＡＭ２との上方が、板金シールド５で覆われている。
【００３１】
さらに、スケーラＩＣ３からは熱が発生するため、熱伝導性に優れた金属製フィラーを含む熱伝導シート６がスケーラＩＣ３の上面に載置されている。さらに、熱伝導シート６は、スケーラＩＣ３の上面と板金シールド５で挟まれ、スケーラＩＣ３で発生した熱が板金シールド５へ逃げる。
【００３２】
しかしながら、上記熱伝導シート６には金属製フィラーが含まれているため、ＤＤＲ-ＳＤＲＡＭ２から発生した高周波ノイズ１０が、該金属製フィラーで誘導されて指向性の強い高周波ノイズ１１に変化してしまうことがある。さらに、ディジタル基板Aには他の基板と接続するためのコネクタ４を実装しなければならないため、図１に示す板金シールド５の４辺の内コネクタ４と隣接しない３辺はディジタル基板Aに接触するものの、コネクタ４と隣接する１辺のみディジタル基板Aに接触させることができない（図２参照）。
【００３３】
そこで、この実施形態では、指向性の強い高周波ノイズ１１が漏れないよう、図２に示すようにガスケット７を配置している。
【００３４】
図３（A）は、図２に示す熱伝導シートとガスケットの上面図であり、図３（B）は、図２に示す熱伝導シートとガスケットの側面図である。熱伝導シートの材質は、例えば金属性フィラーが充填された熱伝導性樹脂である。ガスケット７の材質は、例えばスポンジ状の芯の外側を金属メッシュなどの導電性の材料で覆ったものである。
【００３５】
ガスケット７は、スケーラＩＣ３上における熱伝導シート６のＤＤＲ-ＳＤＲＡＭ２側の側方に配置されている。そして、板金シールド５は、図２、図３に示すように、熱伝導シート６及びガスケット７をスケーラＩＣ３とともに挟む。これにより、ＤＤＲ-ＳＤＲＡＭ２から発生する高周波ノイズ１０は、ガスケット７で遮蔽されるため、熱伝導シート６に入射しなくなる。そのため、指向性の強い高周波ノイズ１１が熱伝導シート６から漏れるのを防止できる。
【００３６】
さらに、熱伝導シート６は、スケーラＩＣ３で発生する熱を板金シールド５に伝導させる。
【００３７】
よって、スケーラＩＣ３の発熱対策に留意しつつ、コネクタ４周辺から放出される指向性の強い高周波ノイズを低減させることができる。具体的には、９７８MHｚの高周波ノイズを約６ｄB低減させることが実験により明らかとなっている。
【００３８】
なお、ガスケット７は、スケーラＩＣ３と板金シールド５とに挟まれる。そこで、実施の際は、スケーラＩＣ３と板金シールド５とに対する密着性を高めるため、ガスケット７の材質に導電性熱可塑性エラストマーを用いても構わない。
また、この実施形態では、ノイズ発生部の１つであるＤＤＲ-ＳＤＲＡＭ２に対してノイズ対策を行っているが、実施の際は、図２に示すＤＤＲ-ＳＤＲＡＭ２の代わりに水晶発振器を置き、水晶発振器に対して同じノイズ対策を行っても構わない。
【００３９】
また、本発明の実施形態は、以下の変形例を採用することができる。
【００４０】
図４（A）は、本発明の実施形態の変形例である液晶テレビジョンの熱伝導シートとアルミシートの上面図であり、図４（B）は、同熱伝導シートと同アルミシートの側面図である。熱伝導シート８の材質は、熱伝導シート６と同じである。
熱伝導シート８のＤＤＲ-ＳＤＲＡＭ２側の端部をアルミシート９で被覆しても構わない。この変形例において板金シールド５は、図２、図４に示すように、熱伝導シート８及びアルミシート９をスケーラＩＣ３とともに挟む。これにより、ＤＤＲ-ＳＤＲＡＭ２から発生する高周波ノイズ１０は、アルミシート９で遮蔽されるため、熱伝導シート６に入射しなくなる。そのため、指向性の強い高周波ノイズ１１が熱伝導シート６から漏れるのを防止できる。この変形例においても、９７８MHｚの高周波ノイズを約６ｄB低減させることが実験により明らかとなっている。
さらに、熱伝導シート８は、スケーラＩＣ３で発生する熱を板金シールド５に伝導させる。ここで、熱伝導シート８は、上記熱伝導シート６より少し大きいシートである。そのため、この変形例ではスケーラＩＣ３の冷却効率を向上させることができる。
【符号の説明】
【００４１】
１…液晶テレビジョン
２…ＤＤＲ-ＳＤＲＡＭ
３…スケーラＩＣ
４…コネクタ
５…板金シールド
６…熱伝導シート
７…ガスケット
８…熱伝導シート
９…アルミシート
１０…高周波ノイズ
１１…高周波ノイズ
３１…ケーブル
３２…ケーブル
４２…ケーブル
４４…ケーブル
５０…ＬＣＤモジュール
Ａ…ディジタル基板
Ｂ…電源基板
Ｃ…インバータ基板
D…アナログ基板
Ｒ…中継基板
Ｘ…ＣＯＦ群
Ｙ…ＣＯＦ群
【図１】
2011002701.tif 000003
【図２】
2011002701.tif 000004
【図３】
2011002701.tif 000005
【図４】
2011002701.tif 000006